(57)【要約】      （修正有）【課題】２つのディスプレイ要素に関して異なる種類の動作をさせるディスプレイ装置を提供する。【解決手段】ディスプレイ装置として、回転軸が前方に表出するようにモーターを内蔵するケーシングと、前記モーターの回転軸に固定され、先端側に前記回転軸に平行にピンが突設されたクランク１５と、板体であって、前記ケーシングに回動可能に軸支されるとともに、前記ピンが通るスリット２１が設けられることで、前記クランク１５とともに遥動スライダクランク機構を構成する背面板２０と、前記背面板２０の前面側において、前記ピンに上端側で回動可能に、下垂した状態で固定される下垂ディスプレイ体３０とを設ける。【選択図】図５
0003151685.tif 000002
【実用新案登録請求の範囲】
【請求項１】
回転軸が前方に表出するようにモーターを内蔵するケーシングと、
前記モーターの回転軸に固定される、先端側に前記回転軸に平行にピンが突設されたクランクと、
板体であって、前記ケーシングに回動可能に軸支されるとともに、前記ピンが通るスリットが設けられることで、前記クランクとともに遥動スライダクランク機構を構成する背面板と、
前記背面板の前面側において、前記ピンに上端側で回動可能に、下垂した状態で固定される下睡ディスプレイ体と
を有するディスプレイ装置。
【請求項２】
前記ケーシングの側周面に設けられる溝部と
前記溝部を構成する側壁に貫通して設けられるネジ穴と、
前記ネジ穴に固定される頭部にツマミが固定されたネジと
からなる固定手段が設けられた
請求項１に記載のディスプレイ装置。
【考案の詳細な説明】
【技術分野】
【０００１】
本考案は、広告などに用いられる立体的な動くディスプレイ装置に関する。
【背景技術】
【０００２】
店舗やイベントなどにおける広告やアイキャッチを目的としたディスプレイ装置において、表示看板等のディスプレイ要素が動くように構成されたディスプレイ装置がある。このようなディスプレイ装置は、モーターによる回転によりディスプレイ要素を回転させたり、回転運動をクランクやカムなどを用いて往復運動などに換えてディスプレイ要素を動かしたりするような構成を有する。このようなディスプレイ装置において、独立して動く複数のディスプレイ要素を設けることでより注目度合いを高めることが行われる。
【考案の概要】
【考案が解決しようとする課題】
【０００３】
ところで、このような複数要素が動くディスプレイ装置では、通常は、クランクやカムなど共通の機構で各ディスプレイ要素同士は回転、往復、揺動など共通した動きをするものがほとんどである。
本考案は、このような事情に鑑みて、特に２つのディスプレイ要素に関して異なる種類の動作をさせる装置を提供することを課題とする。
【課題を解決するための手段】
【０００４】
上記課題を解決するために、本考案は次のような構成を有する。
請求項１に記載の考案は、回転軸が前方に表出するようにモーターを内蔵するケーシングと、前記モーターの回転軸に固定される、先端側に前記回転軸に平行にピンが突設されたクランクと、板体であって、前記ケーシングに回動可能に軸支されるとともに、前記ピンが通るスリットが設けられることで、前記クランクとともに遥動スライダクランク機構を構成する背面板と、前記背面板の前面側において、前記ピンに上端側で回動可能に、下睡した状態で固定される下睡ディスプレイ体とを有するディスプレイ装置である。
請求項２に記載の考案は、前記ディスプレイ装置において、前記ケーシングの側周面に設けられる溝部と、前記溝部を構成する側壁に貫通して設けられるネジ穴と、前記ネジ穴に固定される頭部にツマミが固定されたネジとからなる固定手段が設けられたものである。なお、ここでの側周面とは、前面と背面とを連結する周面を意味し、ケーシングが直方体である場合は、上面、底面、両側面を意味する。
【考案の効果】
【０００５】
請求項１に記載の考案は、モーターにより回転するクランクにより背面板は遥動し、下睡ディスプレイは、姿勢を維持した状態で回転運動を行えるようにすることができる。
請求項２に記載の考案は、固定手段を設けることで、板状の看板などの縁部に溝部をはめてネジを締めることで看板などに本ディスプレイ装置を取り付けることができる。
【図面の簡単な説明】
【０００６】
【図１】実施形態に係るディスプレイ装置の正面からみた斜視図である。
【図２】実施形態に係るディスプレイ装置の背面からみた斜視図である。
【図３】実施形態に係るディスプレイ装置の側面図である。
【図４】実施形態に係るディスプレイ装置の背面板と下垂ディスプレイ体を取り外した状態を示す正面図である。
【図５】（ａ）〜（ｃ）は実施形態に係るディスプレイ装置の動作を示す正面図である。
【考案を実施するための形態】
【０００７】
以下、本考案の実施の形態について、図面を参照しながら説明する。
図１に本実施形態に係るディスプレイ装置Ｘの正面から見た斜視図を示し、図２にディスプレイ装置Ｘの背面から見た斜視図を示し、図３に、ディスプレイ装置Ｘの側面図を示す。ディスプレイ装置Ｘは、モーターケーシング１０、背面板２０、下垂ディスプレイ３０とから構成される。背面板２０は、板体であり表面に広告などの情報が表示される。背面板２０には、スリット２１が設けられ、また、回転中心となる位置に図示しない貫通孔が設けられるとともに、この貫通孔に連通する補強パイプ１６が背面板２０の背面に固定されている。下垂ディスプレイ３０は、板体であり表面に広告などの情報が表示され、上端の回転支持位置に図示しない貫通孔が設けられる。下垂ディスプレイ３０は、ここでは下方を指す矢印の形体をしている。
【０００８】
モーターケーシング１０は、前面側にモーターの回動軸が表出するようにモーターを内部に保持するものであり、背面が開口した箱状体からなる本体１１、本体１１の背面を閉じる板体からなる蓋体１２を有する。モーターケーシング１０の前面側には、前記背面板２０を回動可能に軸支するねじからなる支持軸１６が立設される。
図４に、背面板２０、下垂ディスプレイ３０を取り外した状態のディスプレイ装置Ｘの正面図を示す。モーターの回転軸１４には端部に回転軸１４に平行に突出する雄ネジからなるピン１５ａが設けられたクランク１５が固定されている。前記背面板２０は、モーターケーシング１０の前面側に設けられる支持軸１６に補強パイプ２２および貫通孔が通されて、袋ナット１６ａにより回動可能に固定されるとともに、前記クランク１５のピン１５ａがスリット２１内を通っている。下垂ディスプレイ３０は、背面板２０の前面側で上端の貫通孔を介してピン１５ａの先端に通されて袋ナット１５ｂにより回動可能に固定される。
図２、図４に示すように本体１１の前面下端には板状部１１ａが下方に突出するように設けられ、また、蓋体１２も本体１１の開口よりもさらに下方に延びるような構造をしている。このような構成により本体１１の下面、板状部１１ａの内側面、蓋体１２の下方部の内側面とにより溝部が形成される。また、蓋体１２の溝部に位置する面には貫通したネジ穴が設けられるとともに、このネジ穴にはツマミネジ１３が固定されている。このような構造により板状の看板Ｃなどの上縁に、溝部を係合させてツマミネジ１３を締めてツマミネジ１３の先端を看板Ｃに押し付けることで、ディスプレイ装置Ｘを看板Ｃなどの上縁に固定することができる。
【０００９】
次に、以上のような構成を有するディスプレイ装置Ｘの使用方法および動作について説明する。使用者は、まず、看板などの上縁にディスプレイ装置Ｘの下部に設けられる溝部を嵌めいれてツマミネジ１３を締めることでディスプレイ装置Ｘを固定する。この状態で、電源を入れるとモーターが回転しディスプレイ装置Ｘが作動する。図５にディスプレイ装置Ｘの動作を表す正面図を示す。ここでは、モーターは正面視反時計周りをしているが、回転方向はどちらでもよい。図５（ａ）の位置は、クランク１５が左端に位置し、クランク１５のピン１５ａは背面板１５のスリット２１の左端に位置している。この状態からクランク１５が反時計周りに回ると、背面板２０はピン１５ａに押されて左側が下がるように回動する。一方、ピン１５ａに固定されている下垂ディスプレイ３０は姿勢を変えることなく、位置のみがピン１５ａに伴って右下方向へと移動する。やがて図５（ｂ）に示すように、クランク１５が最下端に達し、さらにクランク１５が回転すると、下垂ディスプレイ３０はクランク１５の動きに伴って姿勢を変えずに右上側に移動する。背面板２０は、さらに左側が下がるように回動するが、クランク１５とスリット２１とが直交する位置を越えると、回動の方向が逆になり左側が上がる方向に回動をするようになる。さらにクランク１５が回転し、図５（ｃ）に示すようにクランク１５が右端に位置すると、背面板２０は図５（ａ）と同じ姿勢となり、ここからクランク１５が回転すると下垂ディスプレイ３０は左上側に向かい、背面板２０はしばらくは左側が上がるように回動を続けるが、クランク１５とスリット２１とが直交する位置を越えると、回動の方向が逆になり左側が下がる方向に回動をするようになる。その後、図５（ｄ）に示すように、クランク１５が最上端に達し、さらにクランク１５が回転すると、下垂ディスプレイ３０はクランク１５の動きに伴って姿勢を変えずに左下側に移動し、背面板２０は左側が下がる方向に回動し、再び図５（ａ）の状態へと戻る。ディスプレイ装置Ｘは以上のサイクルを繰り返し、背面板２０は一定の回転角内で遥動し、下垂ディスプレイ３０は下垂した状態を維持しながら円周に沿って移動する。
【００１０】
なお、上記実施形態では、ディスプレイ装置Xは、看板などに狭持して固定するものとしているが、看板に一体に形成したり、看板とは独立したディスプレイとして使用するものに変形することができる。
また、下垂ディスプレイの形状は任意のものが採用でき、背面板のスリット部分以外は下垂ディスプレイの動作を邪魔しない限りにおいて立体的な形状でもよい。
【符号の説明】
【００１１】
X    ディスプレイ装置
１０  モーターケーシング
１１ａ  板状部
１３  ツマミネジ
１５  クランク
１５ａ  ピン
２０  背面板
２１  スリット
３０  下垂ディスプレイ
【図１】
0003151685.tif 000003
【図２】
0003151685.tif 000004
【図３】
0003151685.tif 000005
【図４】
0003151685.tif 000006
【図５】
0003151685.tif 000007